(57)【要約】【課題】ユーザーが操作しやすい加熱調理器を提供する。【解決手段】本体部２１は、前面２１Ｆと上面２１Ｔとを有し、上面２１Ｔに加熱装置２２が配置されている。操作パネル１は、本体部２１の前面２１Ｆに取り付けられている。操作パネル１は、本体部２１に対して移動することにより、起立姿勢と、起立姿勢から操作パネル１の下端１Ｌが前方に移動した傾斜姿勢とを取ることができるように構成されている。加熱調理器３０は、操作パネル１の傾斜姿勢と起立姿勢との間の移動に基づいて加熱装置２２の状態が変化するように構成されている。【選択図】図５
2020180741.tif 000002
【特許請求の範囲】
【請求項１】
被加熱物を加熱する加熱装置を含む機能部品と、
前面と上面とを有し、前記上面に前記加熱装置が配置された本体部と、
前記本体部の前記前面に取り付けられた操作パネルと、を備え、
前記操作パネルは、前記本体部に対して移動することにより、起立姿勢と、前記起立姿勢から前記操作パネルの下端が前方に移動した傾斜姿勢とを取ることができるように構成されており、
前記操作パネルの前記傾斜姿勢と前記起立姿勢との間の移動に基づいて前記機能部品の状態が変化するように構成された、加熱調理器。
【請求項２】
前記操作パネルが前記起立姿勢に移動することにより前記加熱装置が点火状態から消火状態へ変化するように構成された、請求項１に記載の加熱調理器。
【請求項３】
前記操作パネルの前記起立姿勢から前記傾斜姿勢までのいずれかの設定位置へ達することにより前記加熱装置が点火状態から消火状態へ変化するように構成された、請求項１に記載の加熱調理器。
【請求項４】
前記操作パネルは、第１操作パネル部と、第２操作パネル部とを有し、
前記加熱装置は、第１加熱部と、第２加熱部とを有し、
前記第１操作パネル部の前記傾斜姿勢と前記起立姿勢との間の移動に基づいて前記第１加熱部の状態が変化し、かつ前記第２操作パネル部の前記傾斜姿勢と前記起立姿勢との間の移動に基づいて前記第２加熱部の状態が変化するように構成された、請求項１から請求項３のいずれか１項に記載の加熱調理器。
【請求項５】
前記第１操作パネル部の前記傾斜姿勢と前記起立姿勢との間の移動に基づいて前記第１加熱部および前記第２加熱部の双方の状態が変化するように構成された、請求項４に記載の加熱調理器。
【請求項６】
前記操作パネルの前記傾斜姿勢と前記起立姿勢との間の移動に基づいて前記機能部品の状態を変化させる機能を無効にできるように構成された、請求項１から請求項５のいずれか１項に記載の加熱調理器。
【発明の詳細な説明】
【技術分野】
【０００１】
本発明は、加熱調理器に関するものである。
【背景技術】
【０００２】
従来、燃焼部を操作する操作部と、開閉可能で閉じた状態で操作部全体を隠蔽可能な開閉蓋とを有するコンロが、たとえば特開２００７−２４３４１号公報（特許文献１）に開示されている。上記コンロにおいては、開閉蓋の開閉に連動して、電源スイッチがＯＮ／ＯＦＦされる。
【先行技術文献】
【特許文献】
【０００３】
【特許文献１】特開２００７−２４３４１号公報
【発明の概要】
【発明が解決しようとする課題】
【０００４】
特許文献１の構成では、操作部を操作するためには開閉蓋を開かなければならず、操作が煩わしい。このためユーザーが操作しやすい加熱調理器が望まれていた。
【０００５】
本発明は、上記の課題に鑑みてなされたものであり、その目的は、ユーザーが操作しやすい加熱調理器を提供することである。
【課題を解決するための手段】
【０００６】
本発明の加熱調理器は、機能部品と、本体部と、操作パネルとを備えている。機能部品は、被加熱物を加熱する加熱装置を含む。本体部は、前面と上面とを有し、上面に加熱装置が配置されている。操作パネルは、本体部の前面に取り付けられている。操作パネルは、本体部に対して移動することにより、起立姿勢と、起立姿勢から操作パネルの下端が前方に移動した傾斜姿勢とを取ることができるように構成されている。加熱調理器は、操作パネルの傾斜姿勢と起立姿勢との間の移動に基づいて機能部品の状態が変化するように構成されている。
【０００７】
本発明の加熱調理器によれば、操作パネルの傾斜姿勢と起立姿勢との間の移動に基づいて機能部品の状態が変化する。このため操作パネルでの操作だけでなく、操作パネルの姿勢の変化を操作することで機能部品の状態を変化させることができる。これにより加熱調理器の操作方法が増えるため、ユーザーは加熱調理器を操作しやすくなる。
【０００８】
また操作パネルが起立姿勢および傾斜姿勢のいずれの姿勢にあるときでも、操作パネルにおける操作を行なうことができる。このため、この点においてもユーザーは加熱調理器を操作しやすくなる。
【０００９】
上記の加熱調理器は、操作パネルが起立姿勢に移動することにより加熱装置が点火状態から消火状態へ変化するように構成されている。これにより操作パネルを起立姿勢にするという簡易な操作で加熱装置の消火を行なうことができる。
【００１０】
上記の加熱調理器は、操作パネルの起立姿勢から傾斜姿勢までのいずれかの設定位置へ達することにより加熱装置が点火状態から消火状態へ変化するように構成されている。これにより加熱装置を消火状態へ変化させるための操作パネルの姿勢を適切に設定することができる。このためユーザーが加熱調理器の消火操作をより簡易に行なうことが可能となる。
【００１１】
上記の加熱調理器において、操作パネルは、第１操作パネル部と、第２操作パネル部とを有している。加熱装置は、第１加熱部と、第２加熱部とを有している。加熱調理器は、第１操作パネル部の傾斜姿勢と起立姿勢との間の移動に基づいて第１加熱部の状態が変化し、かつ第２操作パネル部の傾斜姿勢と起立姿勢との間の移動に基づいて第２加熱部の状態が変化するように構成されている。これにより第１加熱部と第２加熱部とを個別に状態を変化させることが可能となる。
【００１２】
上記の加熱調理器は、第１操作パネル部の傾斜姿勢と起立姿勢との間の移動に基づいて第１加熱部および第２加熱部の双方の状態が変化するように構成されている。これにより第１操作パネル部のみの姿勢を操作することで、第１加熱部および第２加熱部の双方の状態を変化させることが可能となる。
【００１３】
上記の加熱調理器は、操作パネルの傾斜姿勢と起立姿勢との間の移動に基づいて機能部品の状態が変化する機能を無効にできるように構成されている。これによりユーザーが上記機能の有効・無効を選択することが可能となり、ユーザーの好みに適した操作が可能となる。
【発明の効果】
【００１４】
以上説明したように本発明によれば、ユーザーが操作しやすい加熱調理器を実現することができる。
【図面の簡単な説明】
【００１５】
【図１】本発明の一実施の形態における加熱調理器の操作パネルが起立姿勢にある状態を示す斜視図である。
【図２】本発明の一実施の形態における加熱調理器の操作パネルが傾斜姿勢にある状態を示す斜視図である。
【図３】図１の加熱調理器に用いられる操作パネル駆動ユニットの構成を示す分解斜視図である。
【図４】図３に示す操作パネル駆動ユニットの操作パネルが起立姿勢にある状態を示す側面図である。
【図５】図３に示す操作パネル駆動ユニットの操作パネルが傾斜姿勢にある状態を示す側面図である。
【図６】図１の加熱調理器およびレンジフードの各々の機能ブロックを示す図である。
【図７】バーナおよび五徳が本体部に対して上昇した状態を示す加熱調理器の構成を示す斜視図である。
【図８】バーナおよび五徳が本体部に対して下降して本体部に収納された状態を示す加熱調理器の構成を示す斜視図である。
【図９】図１の加熱調理器に含まれるファン制御信号送信部からレンジフードに信号を送信する様子を示す図である。
【図１０】図３〜図５における２つのスイッチ１０、１５のオン・オフ動作を説明するための図である。
【発明を実施するための形態】
【００１６】
以下、本開示の実施の形態について、図に基づいて説明する。
なお、明細書および図面において、同一の構成要素または対応する構成要素には、同一の符号を付し、重複する説明を繰り返さない。また図面では、説明の便宜上、構成を省略または簡略化している場合もある。また実施の形態と各変形例との少なくとも一部は、互いに任意に組み合わされてもよい。
【００１７】
＜加熱調理器３０の構成＞
まず本実施の形態の加熱調理器の構成について図１および図２を用いて説明する。
【００１８】
図１に示されるように、本実施の形態の加熱調理器３０は、たとえばガスこんろである。加熱調理器３０は、本体部２１と、加熱装置２２と、複数の操作パネル駆動ユニットＯＵとを主に有している。
【００１９】
本体部２１は、ほぼ平坦な上面２１Ｔを有している。本体部２１の上面２１Ｔには、加熱装置２２が設けられている。加熱装置２２は被加熱物を加熱するためのものである。加熱装置２２は複数の加熱部２２ａ、２２ｂ、２２ｃを有している。
【００２０】
複数の加熱部２２ａ、２２ｂ、２２ｃの各々には、たとえばブンゼン式のガスバーナが採用されている。ただし複数の加熱部２２ａ、２２ｂ、２２ｃの各々は、ブンゼン式以外のガスバーナであってもよい。複数の加熱部２２ａ、２２ｂ、２２ｃは、たとえば３つの加熱部であるが、２つ、または４つ以上であってもよい。
【００２１】
本体部２１は、前面２１Ｆを有している。前面２１Ｆは、加熱調理器３０を使用するユーザーから見て本体部２１の手前側の面である。グリル加熱部２１Ｇが本体部２１に設けられている。グリル加熱部２１Ｇの取り入れ・取り出し口は、本体部２１の前面２１Ｆに配置されている。
【００２２】
複数の操作パネル駆動ユニットＯＵは、たとえば２つの操作パネル駆動ユニットＯＵを有している。２つの操作パネル駆動ユニットＯＵの双方は、本体部２１の前面２１Ｆに配置されている。２つの操作パネル駆動ユニットＯＵは、グリル加熱部２１Ｇを挟み込むようにグリル加熱部２１Ｇの横に配置されている。
【００２３】
２つの操作パネル駆動ユニットＯＵの一方である第１ユニットＯＵＦは、グリル加熱部２１Ｇの一方側端側（加熱調理器３０を使用するユーザーから見て右側）に配置されている。また２つの操作パネル駆動ユニットＯＵの他方である第２ユニットＯＵＳは、グリル加熱部２１Ｇの他方側端側（加熱調理器３０を使用するユーザーから見て左側）に配置されている。
【００２４】
第１ユニットＯＵＦおよび第２ユニットＯＵＳは、操作パネル１を有している。操作パネル１は、第１ユニットＯＵＦに含まれる第１操作パネル部１Ｆと、第２ユニットＯＵＳに含まれる第２操作パネル部１Ｓとを有している。
【００２５】
第１操作パネル部１Ｆおよび第２操作パネル部１Ｓの各々は、操作部を有している。第１操作パネル部１Ｆおよび第２操作パネル部１Ｓの各々の操作部は、たとえばメンブレンスイッチと液晶表示素子とを有している。またこの操作部は、たとえばタッチパネルディスプレイであってもよい。またこの操作部は、たとえばメンブレンスイッチ、液晶表示素子およびタッチパネルディスプレイの組み合わせであってもよい。
【００２６】
第１操作パネル部１Ｆおよび第２操作パネル部１Ｓの各々の操作部がタッチパネルディスプレイを有する場合、そのタッチパネルディスプレイは静電容量方式、抵抗膜方式、表面弾性波方式、赤外線方式、電磁誘導方式などのいずれの方式であってもよい。
【００２７】
第１操作パネル部１Ｆおよび第２操作パネル部１Ｓの各々の操作部は、たとえば加熱部制御スイッチ、グリル制御スイッチ、電源スイッチなどを有している。またこの操作部は、加熱調理器３０の上方に配置されたレンジフードのファン（図示せず）を制御するためのファン制御スイッチを有していてもよい。
【００２８】
加熱部制御スイッチは、加熱装置２２の点火（加熱装置２２の駆動開始）、消火（加熱装置２２の駆動停止）、火力調整などを操作可能である。グリル制御スイッチは、グリル加熱部２１Ｇの点火（グリル加熱部２１Ｇの駆動開始）、消火（グリル加熱部２１Ｇの駆動停止）、火力調整などを操作可能である。
【００２９】
また電源スイッチは、本体部２１の電源をオンまたはオフに操作可能である。またファン制御スイッチは、ファンのオンまたはオフを操作可能であり、またファンの回転速度を制御可能である。
【００３０】
操作パネル１（第１操作パネル部１Ｆおよび第２操作パネル部１Ｓの各々）は、本体部２１の前面２１Ｆに取り付けられている。操作パネル１は、本体部２１に対して移動するように構成されている。操作パネル１は、本体部２１に対して移動することにより、図１に示す起立姿勢と、図２に示す傾斜姿勢とを取り得る。
【００３１】
操作パネル１が図１に示す起立姿勢にある状態では、操作パネル１の上端１Ｕと下端１Ｌとは上下方向に沿って位置している。具体的には加熱調理器３０が水平な面上に載置された状態において、起立姿勢にある操作パネル１の上端１Ｕは下端１Ｌの鉛直方向真上に位置している。
【００３２】
操作パネル１が図２に示す傾斜姿勢にある状態では、操作パネル１の下端１Ｌが、図１に示す起立姿勢にある操作パネル１の下端１Ｌよりも前方（加熱調理器３０を使用するユーザーから見て手前側）に移動している。
【００３３】
この傾斜姿勢において操作パネル１の下端１Ｌは上端１Ｕよりも前方側に位置している。具体的には加熱調理器３０が水平な面上に載置された状態において、傾斜姿勢にある操作パネル１は、後方側の上端１Ｕから前方側の下端１Ｌに向かって下り勾配を有している。
【００３４】
また図２に示す傾斜姿勢における操作パネル１の上端１Ｕは、図１に示す起立姿勢における操作パネル１の上端１Ｕの位置よりも下方に位置している。
【００３５】
上記加熱調理器３０は、外部装置と無線または有線で通信可能な通信部を有していてもよい。加熱調理器３０は、この通信部によりインターネットまたはイントラネットに接続可能である。この通信部は、操作パネル１に表示する情報を外部装置から入手してもよい。
【００３６】
上記通信部と外部装置との通信は、たとえばＢＬＵＥＴＯＯＴＨ（登録商標）、Ｗｉ−Ｆｉ（登録商標）、Ｗｉ−ＳＵＮ（登録商標）、特定小電力無線、ＨＥＭＳ（Home  Energy  Management  System）上での接続などのいずれかの方法で行われてもよい。
【００３７】
＜操作パネル駆動ユニットＯＵの構成＞
次に、上記加熱調理器３０に用いられる操作パネル駆動ユニットＯＵの構成について図３〜図６を用いて説明する。
【００３８】
図３に示されるように、操作パネル駆動ユニットＯＵ（第１ユニットＯＵＦ、第２ユニットＯＵＳ）は、上記操作パネル１（第１操作パネル部１Ｆ、第２操作パネル部１Ｓ）と、支持部材２と、支持構造体とを有している。操作パネル１は矩形形状を有している。操作パネル１は、上端１Ｕと下端１Ｌとを有し、かつ上記のように起立姿勢（図１）と傾斜姿勢（図２）とを取ることができるように構成されている。
【００３９】
また操作パネル１は、上記のメンブレンスイッチ、液晶表示素子、タッチパネルディスプレイなどの操作部を有している。パネル本体１ａの後面には、メンブレンスイッチ、液晶表示素子、タッチパネルディスプレイなどの操作部に電気的に接続された電気回路、配線など（図示せず）が配置されている。
【００４０】
支持部材２は、操作パネル１の後面に取り付けられている。支持部材２は、左右１対の上部支持体２ａと、左右１対の下部支持体２ｂと、取り付け部２ｃとを有している。
【００４１】
左右１対の上部支持体２ａ、左右１対の下部支持体２ｂおよび取り付け部２ｃは、たとえば１枚の板を折り曲げることにより構成されており、一体的に構成されている。このため左右１対の上部支持体２ａおよび左右１対の下部支持体２ｂの各々は取り付け部２ｃに接続されている。
【００４２】
取り付け部２ｃは、たとえば平板形状を有しており、操作パネル１の後面にボルトなどの締結部材により固定されている。左右１対の上部支持体２ａおよび左右１対の下部支持体２ｂの各々は、操作パネル１の後面から後方に延びている。左右１対の下部支持体２ｂは、左右１対の上部支持体２ａの下方に位置している。
【００４３】
左右１対の上部支持体２ａの一方には、折り曲げ部２ａａが設けられている。この折り曲げ部２ａａは、上部支持体２ａのたとえば上端において上部支持体２ａに対して折り曲げられている。折り曲げ部２ａａは、上部支持体２ａと同じ板から構成されていてもよく、上部支持体２ａと異なる部材を上部支持体２ａに取り付けることにより構成されていてもよい。
【００４４】
支持構造体は、左右１対の上部支持体２ａを少なくとも上下方向にスライド可能に支持し、かつ左右１対の下部支持体２ｂを少なくとも前後方向にスライド可能に支持している。また支持構造体は、左右１対の上部支持体２ａおよび左右１対の下部支持体２ｂの各々を支持構造体に対して回転可能に支持している。
【００４５】
支持構造体は、軸３、４と、軸支持部５と、スライド部材６と、左右１対の支持板１１と、レール１２とを有している。
【００４６】
左右１対の支持板１１の各々は、ガイド穴１１ａを有している。ガイド穴１１ａは支持板１１を貫通している。右側の支持板１１のガイド穴１１ａと左側の支持板１１のガイド穴１１ａとは互いに同じ形状を有している。
【００４７】
ガイド穴１１ａは、第１ガイド穴部１１ａａと、第２ガイド穴部１１ａｂとを有している。第１ガイド穴部１１ａａは、上下方向に沿って延びている。第２ガイド穴部１１ａｂは、第１ガイド穴部１１ａａの下部に接続され、かつ下方に向かうにしたがって前方に位置するように傾斜している。
【００４８】
軸３は、右側の支持板１１のガイド穴１１ａと左側の支持板１１のガイド穴１１ａとの双方に挿通されている。軸３は、左右１対の支持板１１の各々におけるガイド穴１１ａに沿ってスライド可能である。
【００４９】
軸３は、左右１対の上部支持体２ａの双方に取り付けられている。これにより左右１対の上部支持体２ａは、支持板１１に対してガイド穴１１ａの延在方向に沿ってスライド可能であり、かつ支持板１１に対して軸３を中心に回転可能である。
【００５０】
またレール１２には、スライド部材６がスライド可能に係合している。スライド部材６は、レール１２の長手方向に沿ってスライド移動可能である。レール１２の長手方向は、後方から前方に向かって下り勾配となるように傾斜している。このためスライド部材６は、レール１２の長手方向に沿って後方から前方へスライド移動するにしたがって上方から下方へ移動する。
【００５１】
スライド部材６の前端には、軸支持部５が取り付けられている。軸支持部５は軸４を介在して下部支持体２ｂに取り付けられている。これにより軸支持部５およびスライド部材６の各々は、下部支持体２ｂに対して軸４を中心に回転可能である。
【００５２】
これにより左右１対の下部支持体２ｂは、レール１２の延在方向に沿ってスライド可能であり、かつ軸支持部５およびスライド部材６に対して軸４を中心に回転可能である。
【００５３】
上記のように支持構造体が操作パネル１をスライドおよび回転可能に支持しているため、操作パネル１は起立姿勢と傾斜姿勢との間で移動可能である。
【００５４】
また操作パネル駆動ユニットＯＵは、ラックギア７と、爪部８と、ロータリーダンパ１３と、爪係合部１４と、スイッチ１０、１５と、付勢部材１６（図４参照）と、Ｌ字パネル１７と、操作ボタン１８（図４参照）とをさらに有している。
【００５５】
爪部８は、操作パネル１の後面側に取り付けられている。爪係合部１４は、この爪部８に係合可能である。操作パネル１が起立姿勢（図４）にある状態では、爪部８が爪係合部１４に係合している。
【００５６】
爪部８が爪係合部１４に係合した状態では、爪係合部１４は爪部８を係合した状態を維持するように構成されている。また爪係合部１４は、爪部８が爪係合部１４に係合した状態から爪係合部１４側へさらに押し込まれると爪部８との係合を解除するように構成されている。
【００５７】
付勢部材１６（図４参照）は、上部支持体２ａを下方に向けて付勢している。付勢部材１６は、たとえばバネである。付勢部材１６の上端はたとえば上部支持体２ａまたは軸３に取り付けられている。また付勢部材１６の下端は、たとえば支持板１１に固定された部材に取り付けられている。
【００５８】
ラックギア７は、スライド部材６のたとえば上面に取り付けられている。このラックギア７に噛み合うようにロータリーダンパ１３が設けられている。ロータリーダンパ１３は、ラックギア７のスライド運動にブレーキをかけ、ラックギア７およびスライド部材６のスライド移動を減速させるように構成されている。
【００５９】
Ｌ字パネル１７は、操作パネル１の後方側に配置されている。Ｌ字パネル１７は、Ｌ字の断面形状を有している。Ｌ字パネル１７は、上下延在部１７ａと、前後延在部１７ｂとを有している。上下延在部１７ａは上下方向に沿って延びている。前後延在部１７ｂは上下延在部１７ａの下端に接続されており、上下延在部１７ａの下端から前方に延びている。前後延在部１７ｂは前後方向に沿って延びている。
【００６０】
操作ボタン１８（図４）は、Ｌ字パネル１７の上下延在部１７ａに配置されている。操作ボタン１８は、たとえばチャイルドロックである。具体的には操作ボタン１８は、子供のいたずら操作により他の操作部が操作されても、加熱調理器３０が、加熱装置２２における加熱開始、タイマー設定、湯沸・炊飯などの自動調理の設定などの操作を受け付けない状態となるように切り換える機能を有している。
【００６１】
また操作ボタン１８は、本体部２１の前面２１Ｆにおいて、加熱調理器３０の電源をオンに切り換えるスイッチ部（図示せず）と並列に配置されてもよい。また上記操作ボタン１８は、加熱調理器３０の電源をオンに切り換えるスイッチ部と兼用されてもよい。操作ボタン１８とスイッチ部とが並列に設けられる場合、操作ボタン１８が操作されると、操作パネル１の他にスイッチ部も操作を受け付けない状態（受付不可状態）となる。操作ボタン１８とスイッチ部とが兼用される場合、操作ボタン１８が長押し（たとえば３秒以上）操作されることにより、操作パネル１は、加熱装置２２における加熱開始、タイマー設定、湯沸・炊飯などの自動調理の設定などの操作を受け付けない状態（受付不可状態）となる。
【００６２】
なお操作パネル１の後面側には、側板９が取り付けられている。側板９は、操作パネル１の側端に位置している。側板９は、操作パネル１の起立姿勢および傾斜姿勢との間の移動により他の部材と干渉しないように位置決めされ、かつ形状を決定されている。
【００６３】
図４、図５に示されるように、スイッチ１０は、本体部１０ａと、操作部１０ｂとを有している。操作部１０ｂは、本体部１０ａから突き出している。
【００６４】
操作部１０ｂは、操作パネル１が起立姿勢（図４）にあるときに、上部支持体２ａの折り曲げ部２ａａにより本体部１０ａ内に押し込まれるよう構成されている。また操作部１０ｂは、操作パネル１が傾斜姿勢（図５）にあるときに、上部支持体２ａの折り曲げ部２ａａから離れ、本体部１０ａ内への押し込みが解除されるよう構成されている。
【００６５】
操作部１０ｂが本体部１０ａ内に押し込まれることにより、スイッチ１０はオフ状態からオン状態へ切り替わるように構成されている。また操作部１０ｂの本体部１０ａ内への押し込みが解除されることにより、スイッチ１０はオン状態からオフ状態へ切り替わるように構成されている。
【００６６】
スイッチ１５は、本体部１５ａと、操作部１５ｂとを有している。操作部１５ｂは、本体部１５ａから突き出している。
【００６７】
操作部１５ｂは、操作パネル１が傾斜姿勢（図５）にあるときに、上部支持体２ａにより本体部１５ａ内に押し込まれるよう構成されている。また操作部１５ｂは、操作パネル１が起立姿勢（図４）にあるときに、上部支持体２ａから離れ、本体部１５ａ内への押し込みが解除されるよう構成されている。
【００６８】
操作部１５ｂが本体部１５ａ内に押し込まれることにより、スイッチ１５はオフ状態からオン状態へ切り替わるように構成されている。また操作部１５ｂの本体部１５ａ内への押し込みが解除されることにより、スイッチ１５はオン状態からオフ状態へ切り替わるように構成されている。
【００６９】
図６に示されるように、スイッチ１０およびスイッチ１５のいずれかの上記オン・オフ動作により、機能部品の状態が変化する。ここで機能部品は、たとえば加熱装置２２を含む。また機能部品は、グリル加熱部２１Ｇ、加熱装置駆動部２３およびグリル駆動部２４を含む。
【００７０】
つまり本実施の形態における加熱調理器３０は、操作パネル１の傾斜姿勢（図５）と起立姿勢（図４）との間の移動に基づいて、機能部品（加熱装置２２、グリル加熱部２１Ｇ、加熱装置駆動部２３およびグリル駆動部２４の少なくとも１つの部品）の状態を変化させるように構成されている。
【００７１】
また本実施の形態における加熱調理器３０は、操作パネル１が傾斜姿勢（図５）と起立姿勢（図４）との間の移動に基づいてレンジフード４０のファン駆動部４３の状態を変化させるように構成されていてもよい。ファン駆動部４３はレンジフード４０のファン４４（図９）に駆動力を付与する駆動源であり、たとえばモータなどである。
【００７２】
＜操作パネル駆動ユニットＯＵの動作＞
次に、上記加熱調理器３０に用いられる操作パネル駆動ユニットＯＵの動作について図４および図５を用いて説明する。
【００７３】
図４に示されるように、操作パネル１が起立姿勢にある状態では、操作パネル１の上端１Ｕは操作パネル１の下端１Ｌの真上に位置している。また爪部８が爪係合部１４に係合している。このため外部から力が作用しなければ、爪係合部１４が爪部８を係合した状態が維持され、操作パネル１が起立姿勢に維持されている。
【００７４】
操作パネル１が起立姿勢にある状態では、上部支持体２ａの折り曲げ部２ａａによりスイッチ１０の操作部１０ｂは本体部１０ａ内に押し込まれている。このためスイッチ１０はオン状態となっている。
【００７５】
操作パネル１が起立姿勢にある状態では、上部支持体２ａとスイッチ１５の操作部１５ｂとは離れている。このためスイッチ１５はオフ状態である。また付勢部材１６は上部支持体２ａを下方に付勢している。
【００７６】
操作パネル１が起立姿勢にある状態では、Ｌ字パネル１７の前方は操作パネル１により覆われている。このためＬ字パネル１７に設けられた操作ボタン１８の前方は操作パネル１により覆われている。
【００７７】
このため図１に示されるように、操作パネル１が起立姿勢にあるときには、加熱調理器３０の外部からＬ字パネル１７および操作ボタン１８を視認することはできない。これにより操作パネル１が起立姿勢にあるときには、加熱調理器３０はシンプルな外観を呈する。
【００７８】
起立姿勢から操作パネル１の下端が前方から後方へ向かって押し込まれる。これにより爪係合部１４は、爪部８が爪係合部１４に係合した状態から爪係合部１４側へさらに押し込まれ、爪部８と爪係合部１４との係合が解除される。
【００７９】
爪部８と爪係合部１４との係合が解除されると、付勢部材１６の付勢力により上部支持体２ａが下方に移動し、下部支持体２ｂが前方に移動する。このとき軸３は支持板１１のガイド穴１１ａに沿って下方へ移動し、かつスライド部材６がレール１２に沿って前方へ移動する。
【００８０】
図５に示されるように、上記のように上部支持体２ａがガイド穴１１ａに沿って下方へ移動し、かつ下部支持体２ｂがレール１２に沿って前方へ移動することにより操作パネル１が傾斜姿勢へ移行する。
【００８１】
起立姿勢から傾斜姿勢への移行時には、スライド部材６のスライドに伴ってラックギア７もスライドする。このラックギア７にはロータリーダンパ１３（図３）が噛み合っている。このロータリーダンパ１３は、ラックギア７とかみ合うことにより、ラックギア７のスライド運動にブレーキをかけ、ラックギア７およびスライド部材６のスライド移動を減速させる。これにより操作パネル１は緩やかに起立姿勢から傾斜姿勢へ移行する。
【００８２】
傾斜姿勢では、上部支持体２ａの折り曲げ部２ａａはスイッチ１０の操作部１０ｂから離れる。このためスイッチ１０の操作部１０ｂが本体部１０ａに押し込まれた状態が解除され、スイッチ１０はオン状態からオフ状態へ切り替わる。
【００８３】
また傾斜姿勢では、上部支持体２ａはスイッチ１５の操作部１５ｂに当接し、操作部１５ｂを本体部１５ａ内へ押し込む。これによりスイッチ１５はオフ状態からオン状態へ切り替わる。
【００８４】
スイッチ１５がオフ状態からオン状態に切り換わることにより操作パネル１の操作表示がオフ状態からオン状態へ切り替わってもよい。またスイッチ１０がオン状態からオフ状態に切り換わることにより操作パネル１の操作表示がオフ状態からオン状態へ切り替わってもよい。操作パネル１における操作表示がオンになると、操作表示が点灯し、操作を受け付ける状態となる。この状態でユーザーが操作表示を操作することで加熱調理器３０の操作が可能となる。
【００８５】
操作パネル１が傾斜姿勢にある状態では、Ｌ字パネル１７の前方は操作パネル１により覆われておらず開放されている。このためＬ字パネル１７に設けられた操作ボタン１８の前方も操作パネル１により覆われておらず開放されている。これによりユーザーは、操作ボタン１８を操作することが可能となる。
【００８６】
図５に示される傾斜姿勢からユーザーが操作パネル１の下端部を後方に向かって押し込むことにより、操作パネル１を傾斜姿勢から起立姿勢へ移行させることができる。この場合、下部支持体２ｂはレール１２に沿って後方へスライド移動し、上部支持体２ａはガイド穴１１ａに沿って上方へスライド移動する。
【００８７】
上部支持体２ａが上方へ移動することにより、上部支持体２ａの折り曲げ部２ａａがスイッチ１０の操作部１０ｂに当接し、操作部１０ｂを本体部１０ａ内へ押し込む。これによりスイッチ１０はオフ状態からオン状態へ切り替わる。
【００８８】
また上部支持体２ａが上方へ移動することにより、上部支持体２ａとスイッチ１５の操作部１５ｂとの当接状態が解除され、操作部１５ｂが本体部１５ａに押し込まれた状態が解除される。これによりスイッチ１５がオン状態からオフ状態へ切り替わる。
【００８９】
スイッチ１５がオン状態からオフ状態に切り換わることにより操作パネル１の操作表示がオン状態からオフ状態へ切り替わってもよい。またスイッチ１０がオフ状態からオン状態に切り換わることにより操作パネル１の操作表示がオン状態からオフ状態へ切り替わってもよい。操作パネル１における操作表示がオフ状態になると、操作表示が消灯し、操作を受け付けない状態となる。この状態でユーザーが操作パネルを操作しても加熱調理器３０を操作することはできない。
【００９０】
操作パネル１の下端部を後方へ押し込み続けると、最終的には爪部８が爪係合部１４内に挿入され、爪係合部１４と係合しロックされる。これにより操作パネル１は起立姿勢で維持される。
【００９１】
＜加熱調理器３０およびレンジフード４０の機能ブロック＞
次に、本実施の形態の加熱調理器３０およびレンジフード４０の機能ブロックについて図６を用いて説明する。
【００９２】
図６に示されるように、加熱調理器３０は、操作パネル１と、スイッチ１０、１５と、操作ボタン１８と、加熱装置２２と、加熱装置駆動部２３と、グリル加熱部２１Ｇと、グリル駆動部２４と、ファン制御信号送信部３２と、制御部３１とを有している。
【００９３】
加熱調理器３０のスイッチ１０、１５は、オン・オフ信号を制御部３１へ送る。制御部３１は、オン・オフ信号に基づいて操作パネル１の操作表示をオン状態またはオフ状態に制御してもよい。具体的にはスイッチ１５がオン状態となったときに操作パネル１の操作表示がオン状態とされ、スイッチ１５がオフ状態となったときに操作パネル１の操作表示がオフ状態とされてもよい。またスイッチ１０がオン状態となったときに操作パネル１の操作表示がオフ状態とされ、スイッチ１０がオフ状態となったときに操作パネル１の操作表示がオン状態とされてもよい。
【００９４】
また制御部３１は、スイッチ１０、１５のオン・オフ信号に基づいて加熱装置２２の点火、消火、加熱温度などを制御してもよい。具体的にはスイッチ１５がオン状態となったときに加熱装置２２が点火状態とされてもよい。またスイッチ１５がオフ状態となったときに加熱装置２２が消火状態とされてもよい。またスイッチ１５がオン状態とオフ状態とのいずれの状態においても加熱装置２２がオン状態とされ、スイッチ１５がオン状態における加熱装置２２の加熱温度とスイッチ１５がオフ状態における加熱装置２２の加熱温度とが異なるように制御されてもよい。
【００９５】
またスイッチ１０がオン状態となったときに加熱装置２２が消火状態とされてもよい。またスイッチ１０がオフ状態となったときに加熱装置２２が点火状態とされてもよい。またスイッチ１０がオン状態とオフ状態とのいずれの状態においても加熱装置２２がオン状態とされ、スイッチ１０がオン状態における加熱装置２２の加熱温度とスイッチ１０がオフ状態における加熱装置２２の加熱温度とが異なるように制御されてもよい。
【００９６】
また制御部３１は、スイッチ１０、１５のオン・オフ信号に基づいてグリル加熱部２１Ｇの点火、消火、加熱温度などを制御してもよい。具体的にはスイッチ１５がオン状態となったときにグリル加熱部２１Ｇが点火状態とされてもよい。またスイッチ１５がオフ状態となったときにグリル加熱部２１Ｇが消火状態とされてもよい。またスイッチ１５がオン状態とオフ状態とのいずれの状態においてもグリル加熱部２１Ｇがオン状態とされ、スイッチ１５がオン状態におけるグリル加熱部２１Ｇの加熱温度とスイッチ１５がオフ状態におけるグリル加熱部２１Ｇの加熱温度とが異なるように制御されてもよい。
【００９７】
またスイッチ１０がオン状態となったときにグリル加熱部２１Ｇが消火状態とされてもよい。またスイッチ１０がオフ状態となったときにグリル加熱部２１Ｇが点火状態とされてもよい。またスイッチ１０がオン状態とオフ状態とのいずれの状態においてもグリル加熱部２１Ｇがオン状態とされ、スイッチ１０がオン状態におけるグリル加熱部２１Ｇの加熱温度とスイッチ１０がオフ状態におけるグリル加熱部２１Ｇの加熱温度とが異なるように制御されてもよい。
【００９８】
また制御部３１は、スイッチ１０、１５のオン・オフ信号に基づいて加熱装置２２が駆動するように加熱装置駆動部２３を制御してもよい。具体的にはスイッチ１５がオン状態となったときに、図７に示されるように加熱装置２２のバーナ部２２ａａおよび五徳２２ａｂが本体部２１の上面２１Ｔに対して上昇するように加熱装置駆動部２３が制御されてもよい。この状態において、バーナ部２２ａａおよび五徳２２ａｂは上面２１Ｔに対して突き出している。またスイッチ１５がオフ状態となったときに、図８に示されるように加熱装置２２のバーナ部２２ａａおよび五徳２２ａｂが本体部２１の上面２１Ｔに対して下降するように加熱装置駆動部２３が制御されてもよい。この状態において、バーナ部２２ａａおよび五徳２２ａｂは本体部２１内に格納される。
【００９９】
またスイッチ１０がオフ状態となったときに、図７に示されるように加熱装置２２のバーナ部２２ａａおよび五徳２２ａｂが本体部２１の上面２１Ｔに対して上昇するように加熱装置駆動部２３が制御されてもよい。またスイッチ１０がオン状態となったときに、図８に示されるように加熱装置２２のバーナ部２２ａａおよび五徳２２ａｂが本体部２１の上面２１Ｔに対して下降するように加熱装置駆動部２３が制御されてもよい。
【０１００】
また制御部３１は、スイッチ１０、１５のオン・オフ信号に基づいてグリル加熱部２１Ｇが駆動するようにグリル駆動部２４を制御してもよい。具体的にはスイッチ１５がオン状態となったときに、グリル加熱部２１Ｇが本体部２１の前面２１Ｆに対して前方に突き出すようにグリル駆動部２４が制御されてもよい。グリル加熱部２１Ｇが本体部２１から突き出した状態で、グリル加熱部２１Ｇに被加熱物を載置することができる。またスイッチ１５がオフ状態となったときに、グリル加熱部２１Ｇが本体部２１内に格納するようにグリル駆動部２４が制御されてもよい。
【０１０１】
またスイッチ１０がオフ状態となったときに、グリル加熱部２１Ｇが本体部２１の前面２１Ｆに対して前方に突き出すようにグリル駆動部２４が制御されてもよい。またスイッチ１０がオン状態となったときに、グリル加熱部２１Ｇが本体部２１内に格納するようにグリル駆動部２４が制御されてもよい。
【０１０２】
また制御部３１は、スイッチ１０、１５のオン・オフ信号に基づいてファン４４（図９）の回転を制御してもよい。具体的にはスイッチ１５がオン状態となったときに、ファン４４が回転するようにファン駆動部４３が制御されてもよい。またスイッチ１５がオフ状態となったときに、ファン４４の回転が停止するようにファン駆動部４３が制御されてもよい。
【０１０３】
またスイッチ１０がオフ状態となったときに、ファン４４が回転するようにファン駆動部４３が制御されてもよい。またスイッチ１０がオン状態となったときに、ファン４４の回転が停止するようにファン駆動部４３が制御されてもよい。
【０１０４】
この際、制御部３１は、スイッチ１０、１５のオン・オフ信号に応じてファン４４の回転を制御する信号をファン制御信号送信部３２へ送る。ファン制御信号送信部３２は、上記信号を受けると、ファン４４を制御する信号をたとえば赤外線信号として加熱調理器３０の外部へ送信する。
【０１０５】
レンジフード４０のファン制御信号受信部４２は、ファン制御信号送信部３２から送信されたファン制御信号をたとえば赤外線信号にて受信し、ファン制御部４１へ送る。ファン制御部４１は、ファン制御信号に基づいてファン駆動部４３の駆動のオン・オフ、回転速度などを制御する。これにより加熱調理器３０における加熱状態に連動してレンジフード４０におけるファン４４の回転動作を自動で制御することが可能となる。
【０１０６】
またオン状態の操作パネル１が受け付けたユーザーによる操作は、操作信号として操作パネル１から制御部３１へ送られる。制御部３１は、操作信号に基づいて加熱装置２２のオン・オフ、加熱温度、加熱時間などを制御する。
【０１０７】
またチャイルドロックとしての操作ボタン１８からは、ロック信号またはロック解除信号が制御部３１へ送られる。制御部３１は、このロック信号を操作ボタン１８から受け取ると、このロック信号の解除信号を受け取るまで、加熱の開始を禁止するように加熱装置２２を制御する。またロック信号は、上記以外に、タイマー設定、湯沸・炊飯などの自動調理の設定などの操作を受け付けないように加熱調理器３０（操作パネル１の操作部など）を制御する。
【０１０８】
また操作ボタン１８からロック解除信号が制御部３１へ送られると、制御部３１は、操作パネル１における加熱操作に基づいて、加熱装置２２による加熱動作を制御する。また操作ボタン１８からロック解除信号が制御部３１へ送られると、制御部３１は、タイマー設定、湯沸・炊飯などの自動調理の設定などの操作を受け付けるように加熱調理器３０（操作パネル１の操作部など）を制御する。
【０１０９】
なお図９に示されるように、操作パネル１は、上記ファン制御信号送信部３２を有していてもよい。このファン制御信号送信部３２は、レンジフード４０のファン４４の回転を制御する信号をレンジフード４０のファン制御信号受信部４２へ送信する部分である。ファン制御信号送信部３２およびファン制御信号受信部４２は、たとえば赤外線で信号を送受信するものである。
【０１１０】
上記レンジフード４０は、加熱調理器３０の上方に配置されている。このレンジフード４０は、上記ファン制御信号受信部４２と、ファン駆動部４３と、ファン４４とを主に有している。ファン４４はレンジフード４０内に配置されており、ファン駆動部４３からの駆動力を受けて回転する。ファン４４はたとえばシロッコファンであり、ファン駆動部４３はたとえばモータである。
【０１１１】
なお上記においては図６における制御部３１を介して各機能部品２１Ｇ、２２〜２４が制御される場合について説明したが、制御部３１を介さずにスイッチ１０、１５のオン・オフ信号が各機能部品２１Ｇ、２２〜２４に直接送られることにより各機能部品２１Ｇ、２２〜２４の状態が変化されてもよい。またスイッチ１０、１５のオン・オフ信号が制御部３１を介さずにファン制御信号送信部３２からファン制御信号受信部４２へ送信されることによりレンジフード４０のファン４４が回転制御されてもよい。
【０１１２】
＜その他の制御＞
次に、その他の制御について図１０などを用いて説明する。
【０１１３】
図１０に示されるように、スイッチ１０およびスイッチ１５の双方を用いることにより、状態Ａ、ＢおよびＣの３つの状態を検知することが可能となる。状態Ａは、操作パネル１が起立姿勢の状態である。状態Ａは、スイッチ１０がオン状態、スイッチ１５がオフ状態となっていることから検知される。
【０１１４】
状態Ｂは、操作パネル１が起立姿勢と傾斜姿勢との間の姿勢（傾斜途中姿勢または起立途中姿勢）となる状態である。状態Ｂは、スイッチ１０およびスイッチ１５の双方がオフ状態となっていることから検知される。
【０１１５】
状態Ｃは、操作パネル１が傾斜姿勢の状態である。状態Ｃは、スイッチ１０がオフ状態、スイッチ１５がオン状態となっていることから検知される。
【０１１６】
状態Ａになった時点で加熱装置２２がたとえば消火するように設定されることにより、仮に操作パネル１が傾斜姿勢（状態Ｃ）から中途半端に起立姿勢側に押されて途中姿勢（状態Ｂ）へ移行しても起立姿勢（状態Ａ）にならない。このため、誤って加熱装置２２が消火されることは防止される。
【０１１７】
また加熱装置２２以外の機能部品（たとえばグリル加熱部２１Ｇ、加熱装置駆動部２３）についても同様である。つまり状態Ａになった時点でグリル加熱部２１Ｇがたとえば消火するように設定されることにより、仮に操作パネル１が傾斜姿勢（状態Ｃ）から中途半端に起立姿勢側に押されて途中姿勢（状態Ｂ）へ移行しても起立姿勢（状態Ａ）にならない。このため、誤ってグリル加熱部２１Ｇが消火されることは防止される。
【０１１８】
また状態Ａになった時点で図８に示されるように加熱装置２２が本体部２１内に格納されるように設定されることにより、仮に操作パネル１が傾斜姿勢（状態Ｃ）から中途半端に起立姿勢側に押されて途中姿勢（状態Ｂ）へ移行しても起立姿勢（状態Ａ）にならない。このため、誤って加熱装置２２が本体部２１内に格納されることは防止される。
【０１１９】
また状態Ａになった時点でレンジフード４０におけるファン４４の回転がたとえば停止するように設定されることにより、仮に操作パネル１が傾斜姿勢（状態Ｃ）から中途半端に起立姿勢側に押されて途中姿勢（状態Ｂ）へ移行しても起立姿勢（状態Ａ）にならない。このため、誤ってファン４４の回転が停止することは防止される。
【０１２０】
また状態Ａ、ＢおよびＣの各状態で操作パネル１の表示（ＬＥＤ：Light  Emitting  Diode）の輝度を変化させることもできる。状態Ａにおいては操作パネル１の表示がたとえば消灯される。また状態Ｂにおいては操作パネル１の表示がたとえば暗めに点灯される。状態Ｃにおいては操作パネル１の表示がたとえば明るめに点灯（通常点灯）される。これにより操作パネル１の表示の演出が可能となる。
【０１２１】
また右側の第１操作パネル部１Ｆと、左側の第２操作パネル部１Ｓとの双方が起立姿勢にあるときにレンジフード４０におけるファン４４の回転が停止するように加熱調理器３０が構成されていてもよい。
【０１２２】
また１つの操作パネル部に対応して１つの加熱部の状態が変化できるように構成されていてもよい。たとえば図１、図２において右側の第１操作パネル部１Ｆの傾斜姿勢と起立姿勢との間の移動に基づいて手前右側の第１加熱部２２ａの状態が変化され、かつ左側の第２操作パネル部１Ｓの傾斜姿勢と起立姿勢との間の移動に基づいて手前左側の第２加熱部２２ｂの状態が変化されてもよい。
【０１２３】
また１つの操作パネル部に対応して複数の加熱部の状態が変化できるように構成されていてもよい。たとえば図１、図２において右側の第１操作パネル部１Ｆの傾斜姿勢と起立姿勢との間の移動に基づいて３つの加熱部２２ａ、２２ｂ、２２ｃの状態が変化されてもよい。
【０１２４】
また図４、図５に示されるように、操作パネル１の起立姿勢から傾斜姿勢までのいずれかの設定位置へ達することで加熱装置２２が点火状態から消火状態へ変化するように構成されていてもよい。
【０１２５】
また操作パネル１の傾斜姿勢と起立姿勢との間の移動に基づいて機能部品の状態を変化させる機能が、ユーザーにより無効にできるように構成されていてもよい。
【０１２６】
＜本実施の形態の効果＞
本実施の形態によれば図４および図５に示されるように、操作パネル１は傾斜姿勢と起立姿勢との間で移動可能である。この操作パネル１の移動に基づいて機能部品（たとえば加熱装置２２、グリル加熱部２１Ｇ、加熱装置駆動部２３、グリル駆動部２４）の状態が変化する。このため操作パネル１での操作だけでなく、操作パネル１の姿勢の変化を操作することで機能部品の状態を変化させることができる。これにより操作パネル１による操作と操作パネル１の姿勢の変化による操作とで加熱調理器３０の操作方法が増えるため、ユーザーは加熱調理器３０を操作しやすくなる。
【０１２７】
また操作パネル１が図４に示す起立姿勢および図５に示す傾斜姿勢のいずれの姿勢にあるときでも、操作パネル１における操作を行なうことができる。このため、この点においてもユーザーは加熱調理器３０を操作しやすくなる。
【０１２８】
また本実施の形態によれば図４に示されるように、操作パネル１が起立姿勢に移動することにより加熱装置２２を点火状態から消火状態へ変化させるように制御する。これにより操作パネル１を起立姿勢にするという簡易な操作で加熱装置２２の消火を行なうことができる。
【０１２９】
また本実施の形態によれば図４、図５に示されるように、操作パネル１の起立姿勢から傾斜姿勢までのいずれかの設定位置へ達することで加熱装置２２が点火状態から消火状態へ変化するように構成されている。これにより加熱装置２２を消火状態へ変化させるための操作パネル１の姿勢を適切に設定することができる。このためユーザーが加熱調理器３０の消火操作をより簡易に行なうことが可能となる。
【０１３０】
また本実施の形態によれば図１、図２に示されるように、操作パネル１は、右側の第１操作パネル部１Ｆと、左側の第２操作パネル部１Ｓとを有している。加熱装置２２は、第１加熱部２２ａと、第２加熱部２２ｂとを有している。第１操作パネル部１Ｆの傾斜姿勢と起立姿勢との間の移動に基づいて第１加熱部２２ａの状態が変化し、第２操作パネル部１Ｓの傾斜姿勢と起立姿勢との間の移動に基づいて第２加熱部２２ｂの状態が変化する。これにより第１加熱部２２ａの状態と第２加熱部２２ｂの状態とを個別に制御することが可能となる。
【０１３１】
また本実施の形態によれば図１、図２に示されるように、第１操作パネル部１Ｆの傾斜姿勢と起立姿勢との間の移動に基づいて第１加熱部２２ａおよび第２加熱部２２ｂの双方の状態が変化する。これにより第１操作パネル部１Ｆのみの姿勢を操作することで、第１加熱部２２ａおよび第２加熱部２２ｂの双方の状態を制御することが可能となる。
【０１３２】
また本実施の形態によれば図１、図２に示されるように、操作パネル１の傾斜姿勢と起立姿勢との間の移動に基づいて機能部品の状態を変化させる機能が無効とされる。これによりユーザーが上記機能部品の状態を変化させる機能の有効・無効を選択することが可能となり、ユーザーの好みに適した操作が可能となる。
【０１３３】
なお上記の実施の形態においては加熱調理器３０の一例としてガスこんろについて説明したが、本発明の加熱調理器３０は加熱コイルにより誘導加熱するＩＨ（Induction  Heating）クッキングヒーターのような電磁調理器であってもよい。
【０１３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３５】
１  操作パネル、１Ｆ  第１操作パネル部、１Ｌ  下端、１Ｓ  第２操作パネル部、１Ｕ  上端、１ａ  パネル本体、２  支持部材、２ａ  上部支持体、２ａａ  折り曲げ部、２ｂ  下部支持体、２ｃ  取り付け部、３，４  軸、５  軸支持部、６  スライド部材、７  ラックギア、８  爪部、９  側板、１０，１５  スイッチ、１０ａ，１５ａ，２１  本体部、１０ｂ，１５ｂ  操作部、１１  支持板、１１ａ  ガイド穴、１１ａａ  第１ガイド穴部、１１ａｂ  第２ガイド穴部、１２  レール、１３  ロータリーダンパ、１４  爪係合部、１６  付勢部材、１７  Ｌ字パネル、１７ａ  上下延在部、１７ｂ  前後延在部、１８  操作ボタン、２１Ｆ  前面、２１Ｇ  グリル加熱部、２１Ｔ  上面、２２  加熱装置、２２ａ，２２ｂ，２２ｃ  加熱部、２２ａａ  バーナ部、２２ａｂ  五徳、２３  加熱装置駆動部、２４  グリル駆動部、３０  加熱調理器、３１  制御部、３２  ファン制御信号送信部、４０  レンジフード、４１  ファン制御部、４２  ファン制御信号受信部、４３  ファン駆動部、４４  ファン、ＯＵ  操作パネル駆動ユニット、ＯＵＦ  第１ユニット、ＯＵＳ  第２ユニット。
【図１】
2020180741.tif 000003
【図２】
2020180741.tif 000004
【図３】
2020180741.tif 000005
【図４】
2020180741.tif 000006
【図５】
2020180741.tif 000007
【図６】
2020180741.tif 000008
【図７】
2020180741.tif 000009
【図８】
2020180741.tif 000010
【図９】
2020180741.tif 000011
【図１０】
2020180741.tif 000012